(57)【要約】【課題】  耐久性が良好であり、しかも、濾過効率および逆洗効率が良好であるフィルタ装置を提供する。【解決手段】  フィルタ装置は、プリーツの内外の折り目がそれぞれ周方向にそって並ぶように全体として筒状に形成されているプリーツフィルタ31と、フィルタ31の両端部がそれぞれ所定深さだけ埋め込まれかつ同端部と一体的に固定されている一対の弾性材製端板71、72とを備えている。【選択図】  図２
2006341166.tif 000002
【特許請求の範囲】
【請求項１】
プリーツの内外の折り目がそれぞれ周方向にそって並ぶように全体として筒状に形成されているプリーツフィルタと、フィルタの両端部がそれぞれ所定深さだけ埋め込まれかつ同端部と一体的に固定されている一対の弾性材製端板とを備えているフィルタ装置。
【請求項２】
両端板が、それぞれフィルタのなす筒状の周方向にそってのびた環状に形成されており、両端板をそれぞれはめ入れた一対の対向状環状保持溝が形成された装置ボディを備えている請求項１に記載のフィルタ装置。
【請求項３】
装置ボディが、フィルタの内側の折り目を当接させた外周面をもった筒状メインボディを有しており、メインボディの外周面に環状連絡通路が形成されており、連絡通路と連通させられるようにメインボディに濾液パイプが配管されている請求項２に記載のフィルタ装置。
【請求項４】
連絡通路と連通させられるようにメインボディに空気パイプが配管されている請求項３に記載のフィルタ装置。
【発明の詳細な説明】
【技術分野】
【０００１】
この発明は、例えば、工作機械の切削液からスラッジを除去するために用いられるフィルタ装置に関する。
【背景技術】
【０００２】
この種の装置としては、プリーツの内外の折り目がそれぞれ周方向にそって並ぶように全体として筒状に形成されているプリーツフィルタと、フィルタの両端面にそれぞれ接着されている一対の金属製端板と、フィルタを内外から被覆している内外二重構造のパンチングメタル製補強筒とを備えているものが知られている。
【０００３】
フィルタを濾液が通過する際に、フィルタは弾性変形させられる。そのため、フィルタが端板から剥がれることがあり、そうすると、フィルタ装置を使用することができなくなる。この種のフィルタ装置は使い捨てで、消耗品コストが大きい。
【０００４】
フィルタを補強筒で内外から被覆しているため、フィルタの開口面積が狭められることとなって、濾過効率が悪い。また、この種のフィルタ装置では、一定時間が経過する毎に、フィルタの内側から逆洗液を流し込んで逆洗し、フィルタからスラッジを剥ぎ取るようにしているが、これを補強筒が妨げることにもなっている。さらに、フィルタの内側に逆洗液を漫然と流し込んでも、逆洗のために必要な圧力を掛けることが困難である。
【発明の開示】
【発明が解決しようとする課題】
【０００５】
この発明の目的は、耐久性が良好であり、しかも、濾過効率および逆洗効率が良好であるフィルタ装置を提供することにある。
【課題を解決するための手段】
【０００６】
この発明によるフィルタ装置は、プリーツの内外の折り目がそれぞれ周方向にそって並ぶように全体として筒状に形成されているプリーツフィルタと、フィルタの両端部がそれぞれ所定深さだけ埋め込まれかつ同端部と一体的に固定されている一対の弾性材製端板とを備えているものである。
【０００７】
この発明によるフィルタ装置では、フィルタの両端部がそれぞれ端板に埋め込まれて固定されているから、フィルタが端板からはがれ難く、耐久性が良好である。そのために、補強筒のようなものは必要としないから、濾過効率および逆洗効率が良好である。
【０００８】
さらに、両端板が、それぞれフィルタのなす筒状の周方向にそってのびた環状に形成されており、両端板をそれぞれはめ入れた一対の対向状環状保持溝が形成された装置ボディを備えていると、端板が弾性材製であることにより、端板がシール部材として作用し、シール性が向上することに加えて、端板が内外両面から支えられることにより、フィルタの強度が向上させられる。
【０００９】
また、装置ボディが、フィルタの内側の折り目を当接させた外周面をもった筒状メインボディを有しており、メインボディの外周面に環状連絡通路が形成されており、連絡通路と連通させられるようにメインボディに濾液パイプが配管されていると、濾過の際は、フィルタがメインボディの連絡通路の無い部分によって内側からしっかりと支えられるし、連絡通路によってフィルタの全体で濾過作用を行うことができる。
【００１０】
また、連絡通路と連通させられるようにメインボディに空気パイプが配管されていると、連絡通路を通じて圧縮空気をフィルタに作用させることにより、フィルタの周囲に泡を発生させることができ、この泡がフィルタの目詰まり解消に極めて有効に作用する。
【発明の効果】
【００１１】
この発明によれば、耐久性が良好であり、しかも、濾過効率および逆洗効率が良好であるフィルタ装置が提供される。
【発明を実施するための最良の形態】
【００１２】
この発明の実施の形態を図面を参照しながらつぎに説明する。
【００１３】
図１を参照すると、工作機械の切削液循環システムが示されており、これに、フィルタ装置１が備えられている。
【００１４】
切削液循環システムは、切削液タンク11を備えている。切削液タンク11内には垂直仕切板12が設けられており、これにより、切削液タンク11内は清浄液タンク13および汚濁液タンク14に区画されている。清浄液パイプ15が清浄液タンク13から工作機械Ｍまでのびている。清浄液パイプ15の入口端には第１水中ポンプ16が備えられている。汚濁液パイプ17は、工作機械から汚濁液タンク14までのびている。また、汚濁液タンク14には循環パイプ18が接続されている。循環パイプ18には遠心分離装置19が備えられている。循環パイプ18内を流れる汚濁液に含まれたスラッジの一部が遠心分離装置19によって除去されるようになっている。
【００１５】
フィルタ装置１は、汚濁液タンク14内に汚濁液に没するように配備されされかつ濾過液パイプ21によって清浄液タンク13に接続されている。濾過液パイプ21の長さの途中には自吸式ポンプ22が備えられている。濾過液パイプ21の清浄液タンク13内開口端には第２水中ポンプ23が備えられている。濾過液パイプ21の、フィルタ装置１および第２水中ポンプ23間にはメンテナンス用第１開閉弁24が備えられている。
【００１６】
また、フィルタ装置１には、コンプレッサ25からのびてきた空気パイプ26が接続されている。空気パイプ26にはメンテナンス用第２開閉弁27が備えられている。
【００１７】
フィルタ装置１は、図２および図３に詳細に示すように、装置ボディ31と、これに保持されているプリーツフィルタ32とを備えている。
【００１８】
装置ボディ31は、垂直円筒状メインボディ41と、メインボディ41の上端面に着脱自在に取付られている水平リング状トップカバー42と、メインボディ41の下端面に着脱自在に取付られている水平リング状ボトムカバー43とを備えている。
【００１９】
メインボディ41外周面の高さの中程には環状連絡通路51が設けられている。メインボディ41内の、連絡通路51とほぼ同じ高さのところには濾過液パイプ21の入口端がある。濾過液パイプ21の入口端は、ここより９０度の等間隔で半径方向外向きにのびた４つの分岐パイプ52によって連絡通路51に接続されている。さらに、分岐パイプ52とほぼ同じ高さのところに空気パイプ26の出口端があり、これもまた連絡通路51に接続されている。
【００２０】
トップカバー42は、メインボディ41の上端面全体を被覆しかつそこから半径方向外方に張出している。トップカバー42の張出端には下向き折曲縁部61が設けられている。メインボディ41の外周面上端部、トップカバー42の張出部および下向き折曲縁部61によって下向き保持溝62が形成されている。ボトムカバー43は、トップカバー42の上下を逆にした構造をなすものであって、上向き折曲縁部63を有している。そして、下向き保持溝62と同じように、メインボディ41の外周面下端部、ボトムカバー43の張出部および上向き折曲縁部63によって上向き保持溝64が形成されている。
【００２１】
プリーツフィルタ32は、紙、繊維、金属メッシュ等の弾性素材にプリーツ加工を施すことによって製造されたものであって、プリーツの内外の折り目がそれぞれ周方向にそって並ぶように全体として筒状に形成されているものである。
【００２２】
フィルタ32の上端部には上端板71が、フィルタ32の下端部には下端板72がそれぞれ固着されている。上端板71は下向き保持溝62に、下端板72は上向き保持溝64にそれぞれはめ入れられている。上端板71および下端板72は、同一構造のものである。
【００２３】
フィルタ32と両端板71、72の固着の仕方は、以下の通りである。端板71、72の材質としては、液状ゴム、または弾力を有する樹脂（ウレタンゴム、シリコンゴム等液状で流し込みが可能なゴム）が採用される。筒状に成形したフィルタ32の端部を、図示しない金型の端板71、72に相当するキャビティに挿入し、その状態でキャビティ内に上記の材料を流し込み、固化させる。その結果、フィルタ32の両端部がそれぞれ71、72端板にこれの厚みに相当する深さだけ埋め込まれかつ同端部と一体的に固定される。
【００２４】
つぎに、図４を参照しながら、フィルタ装置１の運転制御を説明する。まず、運転開始にあたり、第２水中ポンプ23を作動させる。そうすると、清浄液タンク13内の清浄液がフィルタ装置１へ送られ、フィルタ32が逆洗されて目詰まりが解消される。また、自吸式ポンプ22内は洗浄液で満たされる。逆洗の際は、端板71、72の外側面が保持溝62、64の外側面に押圧され、これにより、同両外側面間のシール性が保証される。ついで、第２水中ポンプ23の作動を停止し、自吸式ポンプ22を作動させる。そうすると、濾過液パイプ21によって連絡通路51内の濾過液が吸上げられ、フィルタ32の外側にある汚濁液がフィルタ32を通過させられる。このときに、フィルタ32の内側部分は、連絡通路51のところだけしか開放されていないが、フィルタ32のプリーツの内側の隣り合う折り目の間は上下方向に一連に繋がっているため、フィルタ32の高さ方向に全体を通じて液体は濾過される。濾過の際は、逆洗の際とは逆に、端板71、72の内側面が保持溝62、64の内側面に押圧され、これにより、同両内側面間のシール性が保証される。一定の濾過時間が経過すると、自吸式ポンプ22を停止させ、第２水中ポンプ23を作動させて、フィルタ32を逆洗する。
【００２５】
清浄液タンク13へ送られた清浄液は、第１水中ポンプ16の作動により工作機械Ｍへ送られるが、一部は仕切板12をオーバーフローして、汚濁液タンク16へ戻される。
【００２６】
図５に、フィルタ装置１の変形例が示されている。この変形例によるフィルタ装置１では、上記した装置ボディ31のメインボディ41に相当するものを欠いている。したがって、フィルタ32は、内外双方の側で開放されている。また、フィルタ32の上下の開口は、トップカバー42およびボトムカバー43によって閉鎖されている。分岐パイプ52の先端は、フィルタ32の内側で開口させられている。
【００２７】
図６は、フィルタ装置１のさらなる変形例を示すものであって、大型のフィルタ装置１に適用することが好ましいものである。この変形例によるフィルタ装置１は、図５に示すフィルタ装置１に、パンチングメタル製補強筒91を追加したものである。補強筒91は、フィルタ32に内側からあてがわれている。補強筒91の上下端部は、端板71、72にフィルタ32とともにそれぞれ埋め込まれかつ同端部と一体的に固定されている。
【図面の簡単な説明】
【００２８】
【図１】この発明によるフィルタ装置を含む、工作機械の切削油循環システムの構成図である。
【図２】同フィルタ装置の垂直縦断面図である。
【図３】同水平横断面図である。
【図４】同フィルタ装置の運転動作パターンの説明図である。
【図５】変形例によるフィルタ装置の図２相当の縦断面図である。
【図６】さらなる変形例によるフィルタ装置の図５相当の縦断面図である。
【符号の説明】
【００２９】
26  空気パイプ
31  装置ボディ
32  フィルタ
41  メインボディ
51  連絡通路
62、64  保持溝
71、72  端板
【図１】
2006341166.tif 000003
【図２】
2006341166.tif 000004
【図３】
2006341166.tif 000005
【図４】
2006341166.tif 000006
【図５】
2006341166.tif 000007
【図６】
2006341166.tif 000008